(57)【要約】  太陽電池アレイ及び太陽光発電モジュールであって、複数のバッテリーセルとフレキシブル金属導電性ストリップを含み、バッテリーセルの上面とバッテリーセルの下面にはそれぞれセグメント電極が配置され、フレキシブル金属導電性ストリップは、隣接する２つのバッテリーセルのうち第１のバッテリーセルの下面のセグメント電極及び第２のバッテリーセルの上面のセグメント電極に接続され、太陽電池アレイはバッテリーセルの上面の法線方向に積層構造を有し、フレキシブル金属導電性ストリップとセグメント電極との接続領域は、全て積層構造における積層領域以外の領域に位置する。これにより、隣接する２つのバッテリーセルはフレキシブル金属導電性ストリップを介して接続され、フレキシブル金属導電性ストリップの抵抗が小さいので、消費電力が少なくなり、太陽電池アレイの出力電力を高める。
2021528835.tif 000002
【特許請求の範囲】
【請求項１】
太陽電池アレイであって、
複数のバッテリーセルとフレキシブル金属導電性ストリップを含み、バッテリーセルの上面及びバッテリーセルの下面にそれぞれセグメント電極が配置され、前記フレキシブル金属導電性ストリップは隣接する２つの前記バッテリーセルのうち第１のバッテリーセルの下面の前記セグメント電極及び第２のバッテリーセルの上面の前記セグメント電極に接続され、前記太陽電池アレイは前記バッテリーセルの上面の法線方向に積層構造を有し、
前記フレキシブル金属導電性ストリップと前記セグメント電極との接続領域は全て前記積層構造における積層領域以外の領域に位置する、
ことを特徴とする太陽電池アレイ。
【請求項２】
前記セグメント電極が前記バッテリーセルの第１の辺に垂直する場合、前記バッテリーセルの上面及び前記バッテリーセルの下面に位置する前記セグメント電極の数はいずれも４から９個であって、エンドポイント値を含み、前記第１の辺は矩形の前記バッテリーセルの長辺である、
ことを特徴とする請求項１に記載の太陽電池アレイ。
【請求項３】
前記セグメント電極は、前記バッテリーセルの上面及び前記バッテリーセルの下面に均一に配置される、
ことを特徴とする請求項２に記載の太陽電池アレイ。
【請求項４】
前記セグメント電極の幅の値の範囲は、０．５ミリメートルから５ミリメートルであって、エンドポイント値を含む、
ことを特徴とする請求項３に記載の太陽電池アレイ。
【請求項５】
前記セグメント電極の長さの値の範囲は、１ミリメートルから１５ミリメートルであって、エンドポイント値を含む、
ことを特徴とする請求項４に記載の太陽電池アレイ。
【請求項６】
前記フレキシブル金属導電性ストリップの厚さは、２００マイクロメートル未満である、
ことを特徴とする請求項１に記載の太陽電池アレイ。
【請求項７】
前記積層構造は、隣接する２つの前記バッテリーセルの第１の辺に沿って積層され、前記第１の辺は矩形の前記バッテリーセルの長辺である、
ことを特徴とする請求項１に記載の太陽電池アレイ。
【請求項８】
前記セグメント電極と前記バッテリーセルの第１の辺との間の角度は鋭角である、
ことを特徴とする請求項１に記載の太陽電池アレイ。
【請求項９】
前記積層構造における積層領域の幅は、２ミリメートル未満である、
ことを特徴とする請求項１から８のいずれか１項に記載の太陽電池アレイ。
【請求項１０】
請求項１から９のいずれか1項に記載の太陽電池アレイを含むことを特徴とする太陽光発電モジュール。
【発明の詳細な説明】
【技術分野】
【０００１】
本出願は、２０１９年０５月２８日に中国特許庁に提出された、出願番号が２０１９１０４５４０８３.４であって、発明の名称が「太陽電池アレイ及び太陽光発電モジュール」である中国特許出願、及び出願番号が２０１９２０７８５５１６.Ｘであって、実用新案の名称が「太陽電池アレイ及び太陽光発電モジュール」である中国特許出願に基づく優先権を主張するものであり、その全内容を本出願に参照により援用する。
【０００２】
本出願は、太陽電池技術分野に関し、特に、太陽電池アレイ及び太陽光発電モジュールに関する。
【背景技術】
【０００３】
社会の急速な発展に伴い、必要なエネルギーは日々増加しているが、化石エネルギーの量は限られており、長期的には社会開発のニーズを満たすのに十分ではなく、そして、化石エネルギーの消費は深刻な環境汚染をもたらす。したがって、化石エネルギーに代わり、社会の調和のとれた発展を促進するには、新しいエネルギーが必要であり、太陽エネルギーは、無制限の蓄え、自由な使用、及び使用中の汚染物質のない再生可能なエネルギー源であり、太陽光発電産業は近年急速に発展している。
【０００４】
太陽光発電モジュールの内部電力損失を低減し、太陽光発電モジュールの出力電力を増加させることは、業界の発展と顧客のニーズを満たすために太陽光発電企業が追求する目標である。太陽光発電モジュールの出力を高めるために、太陽光発電会社は太陽光発電モジュールにさまざまな製造技術を導入している。例えば、インブリケーション（Imbrication）技術は、正方形（準正方形）のバッテリーセルをより小さな長方形（準長方形）のバッテリーセルにカットし、導電性接着剤を介して、隣接する2つのスライスバッテリーセルの前後電極を互いに重ねて直列回路を形成し、隣接するバッテリーセル間の電流は、バッテリーセルの表面に対して垂直に流れ、モジュール内の電流は小さくなり、モジュール内の受光面積は大きくなり、これにより、モジュールの電力と効率が向上する。
【０００５】
従来のモジュールと比較して、インブリケーション太陽光発電モジュールの出力電力は向上されたが、導電性接着剤、硬化、端子溶接などのプロセスと装置が追加され、プロセス技術が比較的複雑であり、生産コストが高くなり、同時に、導電性接着剤の抵抗は大きく、インブリケーション太陽光発電モジュールの内部損失は依然として大きい。
【発明の概要】
【発明が解決しようとする課題】
【０００６】
本出願の目的は、太陽電池アレイ及び太陽光発電モジュールを提供して、太陽電池アレイ及び太陽光発電モジュールの出力電力を向上させ、モジュール製造コストを低減することである。
【課題を解決するための手段】
【０００７】
上記の技術的問題を解決するために、本出願は太陽電池アレイを提供し、複数のバッテリーセルとフレキシブル金属導電性ストリップを含み、バッテリーセルの上面及びバッテリーセルの下面にはセグメント電極がそれぞれ配置され、前記フレキシブル金属導電性ストリップは隣接する２つの前記バッテリーセルのうち第１のバッテリーセルの下面の前記セグメント電極及び第２のバッテリーセルの上面の前記セグメント電極に接続され、且つ、前記太陽電池アレイは前記バッテリーセルの上面の法線方向に積層構造を有し、前記フレキシブル金属導電性ストリップと前記セグメント電極との接続領域は全て前記積層構造における積層領域以外の領域に位置する。
【０００８】
任意選択で、前記セグメント電極が前記バッテリーセルの第１の辺に垂直である場合、前記バッテリーセルの上面及び前記バッテリーセルの下面に位置する前記セグメント電極の数はいずれも４から９個であって、エンドポイント値を含み、前記第１の辺は矩形の前記バッテリーセルの長辺である。
【０００９】
任意選択で、前記セグメント電極は前記バッテリーセルの上面及び前記バッテリーセルの下面に均一に配置される。
【００１０】
任意選択で、前記セグメント電極の幅の値の範囲は０.５ミリメートルから５ミリメートルであって、エンドポイント値を含む。
【００１１】
任意選択で、前記セグメント電極の長さの値の範囲は１ミリメートルから１５ミリメートルであって、エンドポイント値を含む。
【００１２】
任意選択で、前記フレキシブル金属導電性ストリップの厚さは２００マイクロメートル未満である。
【００１３】
任意選択で、前記積層構造は隣接する２つの前記バッテリーセルの第１の辺に沿って積層され、前記第１の辺は前記バッテリーセルの長辺である。
【００１４】
任意選択で、前記セグメント電極と前記バッテリーセルの第１の辺との間の角度は鋭角である。
【００１５】
任意選択で、前記積層構造における積層領域の幅は２ミリメートル未満である。
【００１６】
本出願は上記のいずれかの前記太陽電池アレイを含む太陽光発電モジュールをさらに提供する。
【００１７】
本出願により提供される太陽電池アレイ及び太陽光発電モジュールは、複数のバッテリーセルとフレキシブル金属導電性ストリップを含み、バッテリーセルの上面及びバッテリーセルの下面にはセグメント電極がそれぞれ配置され、前記フレキシブル金属導電性ストリップは隣接する２つの前記バッテリーセルのうち第１のバッテリーセルの下面の前記セグメント電極及び第２のバッテリーセルの上面の前記セグメント電極に接続され、且つ、前記太陽電池アレイは前記バッテリーセルの上面の法線方向に積層構造を有し、前記フレキシブル金属導電性ストリップと前記セグメント電極との接続領域は全て、前記積層構造における積層領域以外の領域に位置する。本出願の太陽電池アレイのうち隣接する２つのバッテリーセルはフレキシブル金属導電性ストリップを介して接続され、フレキシブル金属導電性ストリップはコストが低く、抵抗が小さく、フレキシブル金属導電性ストリップで消費される電力は少ないので、太陽電池アレイの出力電力を高め、モジュールの製造コストを低減させることができ、一方、太陽電池アレイにおける隣接する２つのバッテリーセルはバッテリーセルの上面の法線方向に積層構造を有し、太陽電池アレイの長さが一定である場合、バッテリーセルの数を増やすことができ、それにより、受光する面積を増やし、太陽電池アレイの出力電力を増やすことができる。
【００１８】
本出願の実施例又は従来技術における技術的解決策をより明確に説明するために、実施例又は従来技術の説明で使用される図面について以下に簡単に説明する。明らかに、以下の説明における図面は本出願のいくつかの実施例に過ぎず、当業者にとっては、創造的な労力なしに提供された図面に従って他の図面も得ることができる。
【図面の簡単な説明】
【００１９】
【図１】本出願に係る太陽電池アレイにおける隣接する２つのバッテリーセルのバッテリーセルの短辺方向に沿う断面図である。
【図２】バッテリーセル表面の金属細グリッド線の配置パターンの概略図である。
【図３】バッテリーセル表面の金属細グリッド線の配置パターンの概略図である。
【図４】バッテリーセル表面の金属細グリッド線の配置パターンの概略図である。
【図５】バッテリーセル表面の金属細グリッド線の配置パターンの概略図である。
【図６】バッテリーセル表面の金属細グリッド線の配置パターンの概略図である。
【図７】セグメント電極がバッテリーセルの長辺に平行する場合の配置概略図である。
【図８】本出願の実施例により提供された太陽光発電モジュールの構成概略図である。
【発明を実施するための形態】
【００２０】
当業者が本出願の解決策をよりよく理解できるようにするために、以下、添付の図面及び特定の実施形態を参照して、本出願を詳細に説明する。明らかに、説明する実施例は、本出願の実施例の一部に過ぎず、全ての実施例ではない。本出願の実施例に基づいて、創造的な努力なしに当業者によって得られる他の全ての実施例は、本出願の保護範囲に含まれるものとする。
【００２１】
本発明を十分に理解するように、以下の説明では多くの特定の詳細を記載している。しかしながら、本発明は、本明細書に記載される形態以外の形態で実施できる。当業者は、本発明の含意に違反することなく類似のプロモーションを行うことができる。したがって、本発明は、以下に開示される特定の実施例によって限定されない。
【００２２】
背景技術で述べたように、従来技術では導電性接着剤を使用してバッテリーセルの隣接する２つのバッテリーセルの前後電極を互いに重ねて直列回路を形成し、太陽光発電モジュールの出力電力は、ある程度改善されるが、モジュールのパッケージングの損失が大きいため、太陽光発電モジュール内で消費される電力は依然として大きく、また、導電性接着剤、硬化、端子溶接などの工程及び装置が追加され、プロセス技術が比較的複雑であり、生産コストが高い。
【００２３】
これに鑑みて、本出願は太陽電池アレイを提供し、図１を参照する。図１は、本出願の太陽電池アレイにおける隣接する２つのバッテリーセルのバッテリーセル短辺方向に沿う断面図であり、太陽電池アレイは、複数のバッテリーセル１とフレキシブル金属導電性ストリップ２を含み、バッテリーセルの上面及びバッテリーセルの下面にそれぞれセグメント電極４が配置され、前記フレキシブル金属導電性ストリップ２は隣接する２つの前記バッテリーセル１のうち第１のバッテリーセルの下面の前記セグメント電極４及び第２のバッテリーセルの上面の前記セグメント電極４に接続され、且つ、前記太陽電池アレイは前記バッテリーセル１の上面の法線方向に積層構造を有し、前記フレキシブル金属導電性ストリップと前記セグメント電極との接続領域は全て、前記積層構造における積層領域以外の領域に位置する。
【００２４】
本実施例で、フレキシブル金属導電性ストリップ２が隣接する２つのバッテリーセル１のうち第１のバッテリーセルの下面のセグメント電極４及び第２のバッテリーセルの上面のセグメント電極４に接続される構成を使用する目的は、フレキシブル金属導電性ストリップ２の抵抗が小さく、太陽電池アレイが受光して電流を生成した後、フレキシブル金属導電性ストリップ２で消費される電力が小さいので、太陽電池アレイの出力電力を高めるためである。なお、フレキシブル金属導電性ストリップ２の幅はセグメント電極４の幅と等しい。
【００２５】
具体的には、フレキシブル金属導電性ストリップは、溶接テープであってもよく、或いは、他の金属材料で形成されたフレキシブル導電性ストリップであってもよい。
【００２６】
さらに、本実施例では、太陽電池アレイがバッテリーセルの上面の法線方向に積層構造を有するように設置した目的は、太陽電池アレイの長さが一定である場合、バッテリーセル１が積層設置され、太陽電池アレイにおけるバッテリーセル１の数を増やすことができ、それにより、受光する面積を増やして、太陽電池アレイの出力電力を高めるためである。
【００２７】
さらに、本実施例では、フレキシブル金属導電性ストリップとセグメント電極との接続領域が全て積層構造における積層領域以外の領域に位置する目的は、接続領域で例えば接続がしっかりしていないなどの問題が発生して、やり直しが必要な場合、簡単にやり直すことができるようにするためである。
【００２８】
なお、本実施例におけるバッテリーセル１は、矩形（準矩形）のバッテリーセルであり、バッテリーセル１の短辺に対する長辺の比の範囲は４から２０であって、エンドポイント値を含む。
【００２９】
なお、本実施例におけるバッテリーセル１は、正方形（準正方形）バッテリーセル又は他の矩形（準矩形）バッテリーセルを分割することによって取得されるが、これに限定されない。
【００３０】
セグメント電極４の機能は、バッテリーセルによって生成される電流を収集して、フレキシブル金属導電性ストリップ２に伝達することであり、両面バッテリーセルは、両面バッテリーセルの上面、下面にそれぞれ金属細グリッド線が配置され、セグメント電極４は金属細グリッド線に接続されて電流を収集する。片面バッテリーセルは、片面バッテリーセルの上面に金属細グリッド線が配置され、片面電池の下面には金属細グリッド線がなく、アルミBSF（Back Surface Field）であり、片面バッテリーセルの上面に位置するセグメント電極４は金属細グリッド線に接続され、片面バッテリーセルの下面に位置するセグメント電極４はアルミBSFに直接に接続される。
【００３１】
なお、本実施例では、両面バッテリーセルの上面、両面バッテリーセルの下面及び片面バッテリーセルの上面における金属細グリッド線の配置方式は特に限定されず、図２から図６に示すように、状況に応じて決定してもよい。図２から図６は、バッテリーセル表面の５種類の金属細グリッド線３の配置パターンを挙げる。好ましくは、生産プロセスを簡素化し、生産効率を向上させるために、両面のバッテリーセルは、上面及び下面における金属細グリッド線３の配置方式が同じである。
【００３２】
隣接する２つのバッテリーセル１のうち第１のバッテリーセルの下面が負極である場合、第２のバッテリーセルの上面は正極であり、同様に、第１のバッテリーセルの下面が正極である場合、第２のバッテリーセルの上面は負極である。
【００３３】
具体的には、本出願の一実施例では、図７に示すように、セグメント電極４は長さ方向に沿ってバッテリーセル１の長辺に平行に配置されるが、本出願はこれを特に限定するものではなく、本出願の別の実施例では、セグメント電極４はその長さ方向に沿ってバッテリーセル１の長辺に垂直に配置され、本出願の他の実施例では、前記セグメント電極４と前記バッテリーセルの第１の辺との間の角度は鋭角であり、第１の辺はバッテリーセル１の長辺である。フレキシブル金属導電性ストリップ２が隣接するバッテリーセル１のセグメント電極４に接続するため、セグメント電極４とバッテリーセル１の長辺との間の位置関係はフレキシブル金属導電性ストリップ２とバッテリーセル１の長辺の位置関係であり、例えば、セグメント電極４がその長さ方向に沿ってバッテリーセル１の長辺に垂直に配置される場合、フレキシブル金属導電性ストリップ２は同様にバッテリーセル１の長辺に垂直である。
【００３４】
セグメント電極４とバッテリーセル１の辺によって形成される角度に関係なく、セグメント電極４は収集した電流をフレキシブル金属導電性ストリップ２に伝達し、電流の流れる方向はバッテリーセル１の表面に平行する。
【００３５】
本実施例により提供される太陽電池アレイは、複数のバッテリーセル１とフレキシブル金属導電性ストリップ２を含み、バッテリーセルの上面及びバッテリーセルの下面にはそれぞれセグメント電極４が配置され、前記フレキシブル金属導電性ストリップ２は、隣接する２つの前記バッテリーセル１のうち第１のバッテリーセルの下面の前記セグメント電極４及び第２のバッテリーセルの上面の前記セグメント電極４に接続され、且つ、前記太陽電池アレイは前記バッテリーセルの上面の法線方向に積層構造を有し、前記フレキシブル金属導電性ストリップと前記セグメント電極との接続領域は全て、前記積層構造における積層領域以外の領域に位置する。本実施例の太陽電池アレイにおける隣接する２つのバッテリーセル１はフレキシブル金属導電性ストリップ２を介して接続され、フレキシブル金属導電性ストリップ２は抵抗が小さく、コストが低く、フレキシブル金属導電性ストリップ２で消費される電力が少ないので、太陽電池アレイの出力電力を高め、モジュールの製造コストを低下させることができる。また、太陽電池アレイにおける隣接する２つのバッテリーセル１はバッテリーセルの上面の法線方向に積層構造を有し、太陽電池アレイの長さが一定である場合、バッテリーセル１の数を増やすことができ、それにより、受光する面積を増やして、太陽電池アレイの出力電力を増やす。同時に、従来の技術においては、導電性接着剤を使用しているため、製造プロセスで硬化、端子溶接などの工程と対応する装置を追加する必要があるので、プロセスが比較的複雑になり、生産コストが高くなる。本実施例では、溶接ワイヤを使用しているため、生産プロセスが簡素化され、生産コストが削減される。
【００３６】
さらに、本出願の一実施例では、セグメント電極４が長さの方向に沿ってバッテリーセル１の長辺に垂直に配置される場合、本実施例では、セグメント電極４の数は特に限定されない。
【００３７】
任意選択で、上記の実施例に基づいて、本出願の一実施例では、セグメント電極４の数は１から１２個であってもよく、エンドポイント値を含む。
【００３８】
好ましくは、前記セグメント電極４が前記バッテリーセル１の第１の辺に垂直する場合、前記バッテリーセルの上面及び前記バッテリーセルの下面に位置する前記セグメント電極４の数は４から９個であって、エンドポイント値を含み、前記第１の辺は矩形の前記バッテリーセル１のうち長辺である。セグメント電極４の数が少なすぎてはいけなく、なぜなら、セグメント電極の数が少なすぎるとバッテリーセルの電流全体を収集できず、電流の一部が無駄になり、太陽電池アレイの出力電力を効果的に向上できないためである。同時に、セグメント電極４の数が多すぎてはいけなく、なぜなら、セグメント電極４はフレキシブル金属導電性ストリップ２に接続される必要があるため、バッテリーセル１が遮蔽され、バッテリーセル１の受光する面積が減少され、これにより、太陽電池アレイの出力電力を低下させるためである。
【００３９】
上記の実施例に基づいて、本出願の一実施例では、セグメント電極４の数が複数である場合、前記セグメント電極４は前記バッテリーセルの上面及び前記バッテリーセルの下面に均一に配置される。
【００４０】
上記の実施例に基づいて、本出願の一実施例では、前記セグメント電極４の幅の値の範囲は、０.５ミリメートルから５ミリメートルであって、エンドポイント値を含み、セグメント電極４の幅が狭すぎてはいけなく、なぜなら、フレキシブル金属導電性ストリップ２がセグメント電極４に溶接される必要があるためであり、セグメント電極４の幅が狭すぎる場合、フレキシブル金属導電性ストリップ２とセグメント電極４との溶接はしっかりしない。同時に、セグメント電極４の幅が広すぎてはいけなく、フレキシブル金属導電性ストリップ２がセグメント電極４に溶接された後、セグメント電極４の位置する領域は受光して発電することができず、バッテリーセル１の有効面積を減少させ、太陽電池アレイの全体的な出力電力を低下させる。
【００４１】
上記の実施例に基づいて、本出願の一実施例では、前記セグメント電極４の長さの値の範囲は１ミリメートルから１５ミリメートルであって、エンドポイント値を含み、セグメント電極４の長さが短すぎてはいけなく、なぜなら、フレキシブル金属導電性ストリップ２はセグメント電極４に溶接される必要があるためであり、セグメント電極４の長さが短すぎる場合、フレキシブル金属導電性ストリップ２とセグメント電極４との接触面積が小さくなり、溶接がしっかりしない。同時に、セグメント電極４の長さが長すぎてはいけなく、なぜなら、セグメント電極４の位置する領域が受光して電流を生成することができないためであり、セグメント電極４が長すぎる場合、バッテリーセル１はより大きな遮蔽面積が生じ、バッテリーセル１の発電効率を低下させ、太陽電池アレイの全体的な出力電力を低下させる。
【００４２】
上記の実施例のいずれかに基づいて、本出願の一実施例では、前記フレキシブル金属導電性ストリップ２の厚さは２００マイクロメートル未満であり、フレキシブル金属導電性ストリップ２の厚さが大きすぎてはいけなく、なぜなら、隣接する２つのバッテリーセル１はフレキシブル金属導電性ストリップ２を介して積層接続されるため、隣接する２つのバッテリーセル１の間隔はフレキシブル金属導電性ストリップ２の厚さであり、フレキシブル金属導電性ストリップ２の厚さが大きい場合、隣接する２つのバッテリーセル１の間隔も大きいため、太陽電池アレイの全体的な高さは高くなり、太陽電池アレイの使用に影響し、また、太陽電池アレイの全体的な高さが高い場合、太陽電池アレイを太陽光発電モジュールに製作するプロセスで、ラミネート加工を行う際に、太陽電池アレイにおけるバッテリーセル１の破片が発生しやすく、製品の合格率が低下し、生産コストが増加するためである。
【００４３】
好ましくは、本出願の一実施例では、前記積層構造は、隣接する２つの前記バッテリーセル１の第１の辺に沿って積層され、前記第１の辺は前記バッテリーセル１のうち長辺である。好ましくは、金属細グリッド線３は、バッテリーセル１の短辺に沿って平行的に配置され、積層構造は、隣接する２つのバッテリーセル１の第１の辺に沿って積層され、即ち、隣接する２つのバッテリーセル１はバッテリーセル１の長辺に沿って積層され、バッテリーセル１の表面の金属細グリッド線３は、バッテリーセル１に電流を流し、それをバッテリーセル１外部に送り出す役割を果たし、金属細グリッド線３における電流が流れる距離は、バッテリーセル１の短辺の距離であり、電流が流れる距離が短いほど、バッテリーセル１内で消費される電力が少なくなるため、太陽電池アレイの出力電力が大きくなる。また、隣接する２つのバッテリーセル１はバッテリーセル１の長辺に沿って積層され、太陽光発電モジュールを製造する際に既存の生産装置を改善する必要がなく、プロセスフローは簡単である。
【００４４】
好ましくは、本出願の一実施例では、前記積層構造における積層領域の幅は２ミリメートル未満であり、太陽電池アレイ積層構造における積層領域の幅が大きすぎてはいけなく、なぜなら、積層領域が受光できず、即ち、積層領域の存在により、バッテリーセル１の有効面積が減少し、太陽電池アレイの全体的な出力電力が低下するためである。
【００４５】
好ましくは、バッテリーセル１がバッテリーセル１の長辺に沿って積層される場合、隣接する２つのバッテリーセル１を接続するフレキシブル金属導電性ストリップ２の長さはバッテリーセル１の短辺の長さの半分未満である。
【００４６】
本出願は、太陽光発電モジュールをさらに提供し、図８を参照する。図８は、本出願の実施例により提供される太陽光発電モジュールの構成概略図であり、太陽光発電モジュールは、上から下へ順次に積層されたガラス基板５、ＥＶＡ粘着フィルム層６、上記実施例で開示された何れかの太陽電池アレイ７、ＥＶＡ粘着フィルム層８、バックプレーン９を含む。
【００４７】
本実施例により提供される太陽光発電モジュールにおける太陽電池アレイは、複数のバッテリーセル１とフレキシブル金属導電性ストリップ２を含み、バッテリーセルの上面及びバッテリーセルの下面にはそれぞれセグメント電極４が配置され、前記フレキシブル金属導電性ストリップ２は隣接する２つの前記バッテリーセル１のうち第１のバッテリーセルの下面の前記セグメント電極４及び第２のバッテリーセルの上面の前記セグメント電極４に接続され、且つ、前記太陽電池アレイは前記バッテリーセルの上面の法線方向に積層構造を有し、前記フレキシブル金属導電性ストリップと前記セグメント電極との接続領域は全て前記積層構造における積層領域以外の領域に位置する。太陽電池アレイにおける隣接する２つのバッテリーセル１はフレキシブル金属導電性ストリップ２を介して接続され、フレキシブル金属導電性ストリップ２は抵抗が小さく、コストが低く、フレキシブル金属導電性ストリップ２で消費される電力は少ないので、太陽電池アレイの出力電力を高め、モジュールの製作コストを低減させることができ、一方、太陽電池アレイにおける隣接する２つのバッテリーセル１はバッテリーセルの上面の法線方向に積層構造を有し、太陽電池アレイの長さが一定である場合、バッテリーセル１の数を増やすことができ、それにより、受光する面積を増やして、太陽電池アレイの出力電力を増やす。
【００４８】
本明細書における各実施例は、漸進的に記載されており、各実施例において、他の実施例との相違点を重点に説明し、各実施例の間の同じ又は類似の部分は、互いに参照すればよい。実施例に開示された装置については、実施例に開示された方法に対応するため、その説明は比較的簡単であり、関連する部分は方法部分の説明を参照すればよい。
【００４９】
以上、本出願により提供される太陽電池アレイ及び太陽電池について詳細に説明した。この明細書では、具体的例を使用して本出願の原理と実施形態を説明した。上記の実施形態の説明は、本出願の方法及びその核となるアイデアの理解に役立つ。当業者にとって、本出願の原理から逸脱することなく、本出願に対していくつかの改善及び修正を行うことができ、これらの改善及び修正も、本出願の請求項の保護範囲に含まれることに留意されたい。
【図１】
2021528835.tif 000003
【図２】
2021528835.tif 000004
【図３】
2021528835.tif 000005
【図４】
2021528835.tif 000006
【図５】
2021528835.tif 000007
【図６】
2021528835.tif 000008
【図７】
2021528835.tif 000009
【図８】
2021528835.tif 000010
【国際調査報告】
2021528835.tif 000011
2021528835.tif 000012
2021528835.tif 000013
2021528835.tif 000014